(57)【特許請求の範囲】
【請求項１】
液体着色インクを収容するために複数の剛体壁を有したインク貯槽（１）と、
圧縮ガスを収容する着脱可能な貯槽（８）と、
前記貯槽（８）に近接し、検知装置（１１）に接続され、前記検知装置（１１）の要求によって、前記着脱可能な貯槽（８）から圧縮ガスを放出する作動装置（９）と、
保留弁（１４）を介して、前記インク貯槽（１）に接続された放出手段（１５）と、を備える銀行券収納器内に組込むのに適した装置において、
インク貯槽の壁の一つが、前記検知装置（１１）に応答して、着脱可能な貯槽（１８）からチャンバ（７）へ放出される圧縮ガスにより膨張させられる、弾性密封膜（２）によって覆われ、前記弾性密封膜が、複数の溝（４）を備え且つ、インク貯層の剛体壁（６）に固定されることを特徴とする装置。
【発明の詳細な説明】
【０００１】
【産業上の利用分野】
本発明は、現金自動支払機に用いられる、あらかじめ装填されたカセットのような銀行券収納器に適した新しい装置に関する。
装置の目的は、収納器を置き換えたり、移動させたりする違反行為、計画的盗み、又は許可されていない行動が検知された場合に、収納器内の銀行券を使用できなくすることである。
【０００２】
【従来の技術】
可搬式の収納器、例えばスーツケースな場合には、盗み又は攻撃の際に、収納器内に収容された銀行券を無効にする装置を備えることは公知である。これは例えば、制御された爆発の結果として着色液体の自動噴射することによって達成される。インクは消すことができないものが好ましいであろう。
この目的のためのいくつかの装置が知られている。それらの中では、インクを収容したシリンダーと、盗みの場合には電子的又は機械的手段、及び場合によってはＣＯ２カートリッジ又はキャニスターを介して作動するピストンを備える装置が知られている。
【０００３】
他の装置は、作動すると収納器内のガスと混合されたインクを放出するＣＯ２カートリッジ及びインク貯槽を備えている。後者の場合、インクの実質的部分は銀行券の束には放出されない。
これらの装置は複雑であり、機械的部品の存在及び閉塞の可能性によって非常に信頼性がない。
【０００４】
【発明が解決しようとする課題】
本発明は、これらの問題点を克服するものであり、現金自動支払機に使用するのが好ましい収納器に収容された銀行券に、好ましくは永久にしみをつける新しい装置を提供することを目的としている。
【０００５】
【課題を解決するための手段】
本発明による装置は、あらかじめ装填された銀行券カセットの一部を構成することが好ましい。そのようなカセットは一般的に細長く、適当な機構によって別個に交付することができる銀行券の束を収容する。カセットは許可された操作員によってのみ開くことができ、カバーは着脱可能であるか、又はその側壁面に蝶番式に取付けられている。
【０００６】
本発明は、 液体着色インクを収容するために複数の剛体壁を有したインク貯槽と、圧縮ガスを収容する着脱可能な貯槽と、前記貯槽に近接し、検知装置に接続され、前記検知装置の要求によって、前記着脱可能な貯槽から圧縮ガスを放出する作動装置と、保留弁を介して、前記インク貯槽に接続された放出手段と、を備える銀行券収納器内に組込むのに適した装置において、インク貯槽の壁の一つが、前記検知装置に応答して、着脱可能な貯槽からチャンバへ放出される圧縮ガスにより膨張させられる、弾性密封膜によって覆われ、前記弾性密封膜が、複数の溝を備え且つ、インク貯層の剛体壁に固定されることを特徴とする装置を提供する。
本発明は、例として与えられた好ましい実施態様について、添付の図面を参照しながらなされる以下の記載から一層明らかに理解されよう。
【０００７】
【実施例】
本発明の一実施態様によれば、そのような装置は、液体着色インク用の貯槽であって、その壁の一つが柔軟で伸長性のある膜２によって完全に覆われている貯槽１を有する。膜２の外側は、その表面に溝４を有した、剛性カバープレート３に密接できる。この膜は貯槽１と溝との間の密封膜として作用する。
【０００８】
貯槽本体６に接する装置の第二要素５は、溝４に接続される細長いチャンバ７を収容する。前記チャンバ７は、作動装置９とともに第二要素５の本体にねじ止めされ、カートリッジの頭部を破損するために例えば制御された爆発によって、圧縮ガス１０を放出できる圧縮ガス・カートリッジ又は同等の手段８を収容する。電子的手段１１は、そのような作動が要求されたときに適した信号を送信する。   細長いチャンバ７は、管又は内部孔２６を経て、直接又は間接に溝１に向けられた出口１２に接続される。
【０００９】
チャンバの本体は、インク貯槽１の本体と一体であるのが好ましいであろう。  インク貯槽の出口１３は、保留弁１４を介して銀行券カセット２８に適合されたときには銀行券の束２９の方へ向けられる、その全長にわたって孔の開けられた管２７又はノズルのようなインク放出手段１５に接続される。このインク放出手段２７は、少なくとも収容器の一つの側面に沿って、好ましくはその覆い２５に沿って延びるであろう。
【００１０】
電子検知装置１１が作動すると、加圧されたガス例えばＣＯ２は孔２６及び出口１２を経て膜の一方の側に放出され、前記膜が延長可能であるので、この膜を膨張させ、インク貯槽１の反対壁面２０及び側壁面２１に対して膜を広げ、例えば銀行券の束の上に配置された、１本又は数本の孔あき管のような放出手段に保留弁１４を介して前記インクを押出し、次いでカセットの銀行券束の上及び内部に押出す。
特定の実施態様によれば、剛性カバープレート３が、内面の中央で溝４に接合する出口１２ａをもった内部管路２２を備え、前記管路は、作動装置及びカートリッジを収容した要素の出口孔１２に合わせるのに適している。
【００１１】
上述のように、上部覆い又は剛性カバープレート３は、膜の全面にＣＯ２を容易に分配するために、その内面に相互に連絡された内部溝４を備えるのが好ましい。覆い又は剛性カバープレート３は、ねじ又はボルト２３によってしっかりと位置決めされ、好ましくはインク貯槽１の側壁面の上部に対して、膜の横側面を押付けるであろう。
装置及び覆いプレートは、金属又は剛性プラスチック材料製であるのがよい。  インク貯槽１と管の間に配置された適当な弁１４は、例えばわずか１ｋｇ以上の圧力でインクを通過させることができる。典型的にはインク貯槽のＣＯ２区画内の圧力は、作動の直後には５ｋｇであり、インクの９０％以上は、放出手段を通って貯槽から放出される。
【００１２】
上記保留弁１４は、ボール・スプリング型一方向弁であってよい。
本発明の一実施態様によれば、弁及び孔あき管２７を有する装置は、カセット２８の本体に蝶番止めされる上部覆い２５の内面２４に、カセット２８の通常の手段によって固定される。カセット２８は、現金支払機用の銀行券束を収容するのに適している。検知装置の一部である電子回路１１及び電力供給源（バッテリー）は、装置本体に近接しているのが好ましい。
【００１３】
本発明による装置は、銀行券支払機以外の貴重品収納器に、例えば金庫、スーツケースに、又は安全保証バン内に組込むことができる。
【図面の簡単な説明】
【図１】インク貯槽の覆いが取除かれた装置の平面図。
【図２】装置の側面図。
【図３】覆いプレートの平面図。
【図４】本発明による装置をもった銀行券カセットの略図。
【符号の説明】
１    第一インク貯槽
２    密封膜
３    剛性カバープレート
４    剛性カバープレート３の内部溝
５    装置の第二要素
６    第一インク貯槽１の本体（剛体壁）
７    細長いチャンバ
８    第二貯槽
９    作動装置
１０  圧縮ガス
１１  検知装置
１２  孔（管２６の出口）
１２ａ内部管路２２の出口
１３  第一インク貯槽１の出口
１４  保留弁
１５  インク放出手段
２０  第一インク貯槽１の反対壁面
２１  側壁面
２２  剛性カバープレート３の内部管路
２３  ねじ（ボルト）
２４  上部覆い２５の内面
２５  上部覆い
２６  管（内部孔）
２７  孔あき管
２８  銀行券カセット
２９  銀行券束
【図１】
0003579449.tif 000002
【図２】
0003579449.tif 000003
【図３】
0003579449.tif 000004
【図４】
0003579449.tif 000005